(57)【要約】【課題】仰向けの状態で使用した場合においても、仰向けの状態から横向きに寝返りをうった場合においても、枕使用者を圧迫することなく支持し、寝心地の低下及び異物感によって覚醒することがない寝返りしやすい枕を提供する。【解決手段】寝返りしやすい枕１は、表面が平坦な板状のウレタンからなる枕本体１１、枕本体１１の第１側縁を３分割してその中央部分から突出した傾斜部１２、並びに枕本体１１より硬い第１及び第２のサポート部材１１ｆ、１１ｇを有する。傾斜部１２は、表面が突出方向に向けて低くなるように傾斜している。第１のサポート部材１１ｆは枕使用者の仰向け時の頸椎部を支持するためのものであり、第２のサポート部材１１ｇは枕使用者の仰向け時の後頭部を支持するためのものである。【選択図】図１
2010246718.tif 000002
【特許請求の範囲】
【請求項１】
表面が平坦な板状のウレタンからなる枕本体と、
この枕本体の第１側縁を３分割してその中央部分から突出し、表面が突出方向に向けて低くなるように傾斜した傾斜部と、
前記枕本体内に埋設され、前記第１側縁に平行に延びる帯板状をなし、前記枕本体より硬い第１及び第２のサポート部材と、
を有し、
前記第１のサポート部材は枕使用者の仰向け時の頸椎部を支持するためのものであり、前記第２のサポート部材は前記枕使用者の仰向け時の後頭部を支持するためのものであることを特徴とする寝返りしやすい枕。
【請求項２】
前記第１のサポート部材は、前記第２のサポート部材よりも前記第１側縁寄りの位置に配置され、前記第２のサポート部材は、前記第１側縁とその反対側の第２側縁との間の中央部よりも前記第１のサポート部材寄りの位置に配置されていることを特徴とする請求項１に記載の寝返りしやすい枕。
【請求項３】
前記枕本体の上に、袋に綿を充填した補助シートが配置されていることを特徴とする請求項１又は２に記載の寝返りしやすい枕。
【請求項４】
前記傾斜部は袋に綿を充填して構成され、傾斜部の袋と前記補助シートの袋とが連通して前記傾斜部と前記補助シートとが一体的に作られていることを特徴とする請求項３に記載の寝返りしやすい枕。
【請求項５】
前記枕本体と前記傾斜部とは別体で形成されており、これらがカバー内に配置されて組み立てられていることを特徴とする請求項１乃至４のいずれか１項に記載の寝返りしやすい枕。
【請求項６】
前記枕本体内に埋設され、前記第１及び第２のサポート部材に平行に延びる帯板状をなし、前記枕本体より硬い第３のサポート部材を有し、
前記第３のサポート部材は、前記第２のサポート部材よりも前記第２側縁寄りの位置に配置されていることを特徴とする請求項５に記載の寝返りしやすい枕。
【請求項７】
請求項１乃至６のいずれか１項に記載の寝返りしやすい枕を使用し、耳の位置が前記第２のサポート部材の位置を外し、前記第２のサポート部材よりも前記第１のサポート部材寄りの位置になるようにして、頭を載せることを特徴とする寝返りしやすい枕の使用方法。
【請求項８】
請求項６に記載の寝返りしやすい枕を使用し、前記枕本体における前記第３のサポート部材側の前記第２の側縁に切り換えて前記傾斜部を配置して、前記カバー内に収納することを特徴とする寝返りしやすい枕の使用方法。
【発明の詳細な説明】
【技術分野】
【０００１】
本発明は、寝返りしやすい枕に関し、特に、枕使用者が横向きに寝返りをうった場合に異物感で覚醒することがない寝返りしやすい枕、及びその使用方法に関する。
【背景技術】
【０００２】
従来、枕としては、綿等の芯材を繊維生地からなる枕袋で包んだ形式のものが使用されている（例えば特許文献１）。これらの枕の芯材としては綿の他、蕎麦殻、羽毛、プラスチック片等、種々の材質からなる小片が１種類又は複数種類使用されている。
【０００３】
また、就寝時の枕使用者の寝心地を改善するために、例えば特許文献２に開示されているような、低反発枕が提案されている。この特許文献２に開示された枕は、枕使用者の体圧及び体温によって形状が変化し、枕使用者の頭部から肩部までの範囲に密着するものである。低反発枕としては、枕使用者が仰向けに寝た状態において、枕使用者の頸椎に相当する位置を凸状に膨出させたものも提案されている（特許文献３）。
【０００４】
更に、睡眠中の寝返りを円滑に行うことができるように、例えば特許文献４には、長方体の長手方向中央にＵ字状の窪みを設け、窪みの両側を山型に高く形成した枕が開示されている。
【先行技術文献】
【特許文献】
【０００５】
【特許文献１】登録実用新案第３０５９３３８号公報
【特許文献２】特開２００５−３１９２５０号公報
【特許文献３】特開２００８−２７２０５３号公報
【特許文献４】登録実用新案第３００８０１９号公報
【発明の概要】
【発明が解決しようとする課題】
【０００６】
しかしながら、上述の従来技術には以下のような問題点がある。特許文献１に開示された枕は芯材が小片状であるため、枕使用者が仰向けの状態から横向きに寝返りをうった場合に、芯材が枕袋内で容易に移動し、変形性が高いものである。また、特許文献２及び３に開示された低反発枕も枕使用者の体圧及び体温によって形状が容易に変形するものである。即ち、特許文献１乃至３に開示された枕を使用すると、枕使用者が寝返りをうつ場合において、枕上面が枕使用者の頭部から肩部及びその周辺に密着してしまい、枕使用者が身体の方向を横向きに転換することが難しくなる。従って、寝返り性が低下して、枕使用者の首に却って大きな負荷がかかることがある。
【０００７】
また、特許文献２に開示された低反発枕は、幅方向の中央部付近が端部側よりも若干低く形成されているものである。しかしながら、頭部から首にかけての体型は枕使用者によって異なるため、特許文献２に開示された枕を使用した場合、枕による押圧荷重が枕使用者によって異なり、所望の寝心地が得られない場合がある。そして、この枕は幅方向の両端部が中央部よりも高く形成されているため、枕使用者が横向きに寝返りをうった場合において、凸部分が特に枕使用者の顎を不自然に圧迫し、枕使用者が異物感によって覚醒してしまう場合がある。
【０００８】
更に、特許文献３に開示された低反発枕は、枕使用者の頸椎に相当する位置の上面が凸状に形成されていると共に、枕使用者の第１胸椎から第４胸椎までを支持する支持部が、前記凸状部分から床面までの間で直線的に高さが減じるように形成されている。従って、枕使用者が横向きに寝返りをうつと、枕の凸状部分及び胸椎支持部の傾斜面が枕使用者の側頭部から肩までの部分を圧迫し、枕使用者が異物感を感じて覚醒してしまうことがある。そして、枕使用者の頸椎に相当する位置の凸状部分は、形状を変更することができないため、例えば日々の体調等に合わせて枕の高さを変更して使用したい場合において、使用に適さない。そして、高さが合わない枕を使用した場合、本来は枕使用者の頸椎部分を支持するための凸状部分が、逆に枕使用者の頸椎付近を不自然に圧迫してしまい、寝心地が低下する。
【０００９】
更にまた、特許文献４に開示された枕は、枕使用者がＵ字状の窪みに頭部を嵌めこんで、仰向けの状態で使用するものである。従って、睡眠中に横向きに寝返りをうって枕の山型部分に側頭部をずらした場合においても、枕使用者が横向きのまま頭部を枕の窪み部分に落としこんで、寝姿勢が不自然になり、寝心地が低下する場合がある。
【００１０】
更にまた、特許文献２乃至４は、いずれも枕の材質及び形状を規定することによって使用者の寝返り性を改善するものであるが、枕使用者が仰向けの状態から横向きに寝返りをうった場合において、枕使用者の耳に接触する位置における枕の形状及び材質が格別の特徴を有することを開示するものではない。従って、横向きで寝た状態でこれらの枕を使用した場合、枕使用者の耳が不自然に圧迫されて寝心地が低下する。
【００１１】
本発明はかかる問題点に鑑みてなされたものであって、仰向けの状態で使用した場合においても、仰向けの状態から横向きに寝返りをうった場合においても、枕使用者を圧迫することなく支持し、寝心地の低下及び異物感によって覚醒することがない寝返りしやすい枕を提供することを目的とする。
【課題を解決するための手段】
【００１２】
本発明に係る寝返りしやすい枕は、表面が平坦な板状のウレタンからなる枕本体と、この枕本体の第１側縁を３分割してその中央部分から突出し、表面が突出方向に向けて低くなるように傾斜した傾斜部と、前記枕本体内に埋設され、前記第１側縁に平行に延びる帯板状をなし、前記枕本体より硬い第１及び第２のサポート部材と、を有し、前記第１のサポート部材は枕使用者の仰向け時の頸椎部を支持するためのものであり、前記第２のサポート部材は前記枕使用者の仰向け時の後頭部を支持するためのものであることを特徴とする。
【００１３】
この場合に、例えば上述の第１のサポート部材は、前記第２のサポート部材よりも前記第１側縁寄りの位置に配置され、前記第２のサポート部材は、前記第１側縁とその反対側の第２側縁との間の中央部よりも前記第１のサポート部材寄りの位置に配置されている。
【００１４】
そして、前記枕本体の上に、袋に綿を充填した補助シートが配置されているように構成することができる。
【００１５】
この場合、前記傾斜部は袋に綿を充填して構成され、前記傾斜部の袋と前記補助シートの袋とが連通して前記傾斜部と前記補助シートとが一体的に作られていてもよい。
【００１６】
また、前記枕本体と前記傾斜部とは別体で形成されており、これらがカバー内に配置されて組み立てられているように構成することができる。
【００１７】
更に、前記枕本体内に埋設され、前記第１及び第２のサポート部材に平行に延びる帯板状をなし、前記枕本体より硬い第３のサポート部材を有し、前記第３のサポート部材は、前記第２のサポート部材よりも前記第２側縁寄りの位置に配置してもよい。
【００１８】
本発明に係る寝返りしやすい枕の使用方法は、上述の寝返りしやすい枕を使用し、耳の位置が前記第２のサポート部材の位置を外し、前記第２のサポート部材よりも前記第１のサポート部材寄りの位置になるようにして、頭を載せることを特徴とする。
【００１９】
また、上述の枕本体が第３のサポート部材を有する場合には、前記枕本体における前記第３のサポート部材側の前記第２の側縁に切り換えて前記傾斜部を配置して、前記カバー内に収納して使用することができる。
【発明の効果】
【００２０】
本発明の寝返りしやすい枕によれば、枕本体の表面が平坦であるため、枕使用者が平坦面上で容易に寝返りをうつことができる。
【００２１】
また、枕本体内には、枕本体より硬い第１及び第２のサポート部材が設けられ、これらの第１及び第２のサポート部材は、第１側縁に平行に延びている。従って、枕使用者が仰向けの状態においても、横向きに寝返りをうった状態においても、枕使用者は枕本体に平坦面で接触して、圧迫されることなく、安定的に支持されることができる。
【００２２】
更に、傾斜部は、表面が突出方向に向けて低くなるように傾斜しているため、枕使用者が仰向けの状態で枕を使用した場合、傾斜部が首から背中までの範囲を圧迫することなく支持することができると共に、枕使用者が傾斜面上で身体の位置を高さ方向にずらして、肩に対する頭部の相対的な高さを容易に調整することができる。
【００２３】
更にまた、この傾斜部は、３分割した枕本体の第１側縁の中央部分だけから突出しているため、枕使用者が横向きに寝返りをうった場合に、傾斜部が枕使用者の肩を圧迫することがなく、枕使用者が異物感によって覚醒することがない。
【００２４】
本実施形態の寝返りしやすい枕の使用方法によれば、枕使用者の耳が第２のサポート部材によって圧迫されることがなく、使用者が横向きに寝返りをうった場合に異物感によって覚醒することがない。
【図面の簡単な説明】
【００２５】
【図１】本発明の寝返りしやすい枕を示す斜視図である。
【図２】本実施形態の寝返りしやすい枕を示す断面図である。
【図３】本実施形態の寝返りしやすい枕の補助シートを示す斜視図である。
【図４】本実施形態の寝返りしやすい枕を枕使用者が仰向けになって使用している状態を示す側面図である。
【図５】本発明の寝返りしやすい枕を枕使用者が仰向け及び横向きになって使用している状態を示す上面図である。
【発明を実施するための形態】
【００２６】
以下、本発明の実施形態について添付の図面を参照して具体的に説明する。図１は本発明の寝返りしやすい枕を示す斜視図、図２は本実施形態の寝返りしやすい枕を示す断面図、図３は本実施形態の寝返りしやすい枕の補助シートを示す斜視図である。また、図４は本実施形態の寝返りしやすい枕を枕使用者が仰向けになって使用している状態を示す側面図、図５は本発明の寝返りしやすい枕を枕使用者が仰向け及び横向きになって使用している状態を示す上面図である。
【００２７】
図１に示すように、本発明の寝返りしやすい枕１は、平板上の枕本体１１と、傾斜部１２と、枕本体内に埋設された第１及び第２のサポート部材１１ｆ，１１ｇとを有する。本実施形態の枕１において、枕本体１１と傾斜部１２とは別体で形成されており、枕本体１１上に補助シート１１０が重ねられている。また、本実施形態においては、枕本体１１内に更に第３のサポート部材１１ｈが埋設されており、枕本体１１の下方には複数枚の高さ調整パッド１３が設けられている。そして、枕１の全体がカバー１０内に収納されている。
【００２８】
枕本体１１は、表面が平坦な板状のウレタンからなり、枕使用者が使用する際の肩幅方向の幅Ｗ１１が例えば８００ｍｍであり、頭部から下半身に向かう方向の長さＬ１１が例えば３００ｍｍである。図２に示すように、枕本体１１は、第１のウレタン層１１ａ及び第２のウレタン層１１ｂが上下に積層されて構成されており、これらの第１及び第２のウレタン層１１ａ，１１ｂ間に第１，第２及び第３のサポート部材１１ｆ，１１ｇ，１１ｈが介装されている。そして、第１及び第２のウレタン層１１ａ，１１ｂは、第１，第２及び第３のサポート部材１１ｆ，１１ｇ，１１ｈが介装された状態で一体化されている。本実施形態において、これらの第１及び第２のウレタン層１１ａ，１１ｂは硬さが互いに等しく、例えばＪＩＳ  Ｋ  ６４００−２に規定されているＤ法による測定値が２０乃至７０Ｎである。第１のウレタン層１１ａと第２のウレタン層１１ｂとは、高さが同一であることが好ましい。本実施形態において、第１及び第２のウレタン層１１ａ，１１ｂは、高さが互いに等しく、例えば１０乃至２５ｍｍである。
【００２９】
補助シート１１０は、例えば消臭機能を有する繊維生地に中綿を詰め込んだものであり、中綿の量を調整することにより、硬さを調節することができる。図３に示すように、本実施形態の補助シート１１０は、上述のウレタン層１１ａ上に配置されるものであり、カバー１０内に配置されたときに、その幅及び長さは枕本体１１の幅Ｗ１１及び長さＬ１１とほぼ等しい。補助シート１１０の中に詰め込まれる中綿は、単位面積あたりに換算したときの量が例えば０．０５乃至０．２０ｇ／ｃｍ２である。そして、カバー１０内に配置されたときの補助シート１１０の厚さは、例えば１０乃至４０ｍｍである。
【００３０】
本実施形態において、補助シート１１０は後述する傾斜部１２と一体的に作られている。即ち、本実施形態の補助シート１１０及び傾斜部１２は、ウレタン層１１ａ上に配置される方形部分、及びこの方形部分から突出した台形部分を有する１枚の袋に中綿を詰め込んで、方形部分と台形部分との境界をミシン等によって縫製して作られている。また、補助シート１１０は、ウレタン層１１ａ上に配置されたときの枕１の幅方向（枕使用者の肩幅方向）に沿ってミシン等により２箇所が縫製され、袋１１ｃ，１１ｄ，１１ｅに３分割されている。このように、一枚の袋に中綿を詰め込み、補助シート１１０及び傾斜部１２を複数の袋に分割することによって、枕使用時に袋内で中綿が移動し、枕の硬さが偏ることを防止することができる。袋１１ｃ及び１１ｄは、枕使用者が仰向け時に、夫々枕使用者の後頭部、頸椎に相当する位置に配置される。そして、これらの袋１１ｃと１１ｄとの間を縫製したミシン目の位置は、枕使用者が横向きに寝返りをうった際の耳の位置に相当する。即ち、枕使用者が横向きに寝返りをうった際、枕使用者の耳は袋１１ｃと袋１１ｄとの間の窪み部分に位置する。
【００３１】
なお、３つの袋１１ｃ，１１ｄ及び１１ｅに中綿を詰め込んで、夫々を縫製した後、２つの袋同士が隣接するように並べ、袋同士の隣接部分の２箇所を縫い合わせて補助シート１１０を構成してもよい。この場合、上面視が台形状の袋に中綿を詰め込んで傾斜部１２を構成する袋を作り、袋１１ｄと傾斜部１２を構成する袋とを隣接するように並べた後、相互の隣接部分を縫い合わせても、補助シート１１０及び傾斜部１２を上記１枚の袋から作る場合と同様の効果を得ることができる。
【００３２】
傾斜部１２は、補助シート１１０と同様に、例えば消臭機能を有する繊維生地に中綿を詰め込んだものであり、上述の如く、傾斜部１２を構成する袋は、補助シート１１ｄに隣接する位置にて補助シート１１０に連通して一体化されている。傾斜部１２に詰め込まれる中綿の量も、補助シート１１０と同じく、傾斜部１２が占める面積あたりに換算したときに例えば０．０５乃至０．２０ｇ／ｃｍ２である。
【００３３】
傾斜部１２は、枕本体１１の長手方向に延びる側縁を３分割したとき、その中央部分から突出し、表面が突出方向に向けて低くなるように傾斜している。即ち、補助シート１１０と一体化された袋をウレタン層１１ａ上に配置した状態でカバー１０内に収納することにより、傾斜部１２はウレタン層１１ａの上面を起点として、表面が突出方向にむけて低くなるように傾斜する。また、傾斜部１２を構成する袋は、袋１１ｄへの連通部分からその幅が減ずるように台形状に形成されている。従って、カバー１０内に収納された状態で、本実施形態の傾斜部１２は、突出部分の傾斜方向に沿って幅が減ずる。カバー１０内に収納された状態で、枕本体１１から突出した部分における幅Ｗ１２は例えば３００乃至６００ｍｍであり、突出した先端部分から枕本体１１までの長さＬ１２が例えば６０乃至１５０ｍｍである。
【００３４】
第１，第２及び第３のサポート部材１１ｆ，１１ｇ，１１ｈは、例えば発泡ゴム材又は硬質ウレタンからなり、厚さが例えば５ｍｍ、幅が例えば３０ｍｍで帯板状に形成されている。これらの第１，第２及び第３のサポート部材１１ｆ，１１ｇ，１１ｈの長さは上述の枕本体１１の幅Ｗ１１と同程度であり、枕本体１１の第１及び第２のウレタン層１１ａ，１１ｂ間に枕本体１１の長手方向と平行に延びるように介装されている。第１のサポート部材１１ｆは枕使用者の仰向け時の頸椎部を支持するためのものであり、第２のサポート部材１１ｇは枕使用者の仰向け時の後頭部を支持するためのものである。
【００３５】
本実施形態において、第１のサポート部材１１ｆは、傾斜部１２が配置された側の枕本体１１の第１側縁寄りの位置に配置されており、第２のサポート部材１１ｇは第１側縁とその反対側の第２側縁との間の中央部よりも第１のサポート部材１１ｆ寄りの位置に配置されており、第３のサポート部材１１ｈは第２のサポート部材１１ｇよりも第２側縁寄りの位置に配置されている。
【００３６】
図４に示すように、第２のサポート部材１１ｇの端部は、枕本体１１の第１側端を基準とする距離Ｌ１が例えば１２５ｍｍであり、第２側端を基準とする距離Ｌ２が例えば１４５ｍｍである。これらの距離Ｌ１，Ｌ２は、成人の耳上から頸椎までの距離を複数人測定した場合において、その距離の分布が密な距離に設定される。本実施形態の第１，第２及び第３のサポート部材１１ｆ，１１ｇ，１１ｈは、第１及び第２のウレタン層１１ａ，１１ｂと一体化されており、カバー１０から独立して取り出すことができる。第１，第２及び第３のサポート部材１１ｆ，１１ｇ，１１ｈの硬さは、例えばＪＩＳ  Ｋ  ６２５３に規定されている硬さ試験方法によるデュロメータ硬さがＡ５乃至Ａ４０である。そして第１，第２及び第３のサポート部材１１ｆ、１１ｇ、１１ｈの硬さは、前述の第１及び第２の樹脂層１１ａ，１１ｂよりも硬い。
【００３７】
高さ調整パッド１３は、例えば消臭機能を有する繊維生地に中綿を詰め込んだものであるか、又は消臭機能を有する繊維生地若しくはタオル状の繊維生地である。高さ調整パッド１３は、第２のウレタン層１１ｂの下方に配置されるものであり、枕本体１１と同一の形状で形成されている。また、高さ調整パッド１３の厚さは、例えば５乃至１０ｍｍである。本実施形態においては、高さ調整パッド１３は繊維生地に中綿を詰め込んだ厚さ１０ｍｍのものが１個と、タオル状繊維生地で厚さが５ｍｍのものが３個とを夫々独立してカバー１０内に収納することができる。上述の如く、本実施形態において、補助シート１１０の厚さは１０ｍｍ、第１及び第２のウレタン層１１ａ，１１ｂは夫々高さが２０ｍｍであるから、本実施形態の枕１は、５０乃至７５ｍｍ程度の範囲で高さを調整することができる。例えばこの高さの範囲は、成人の上腕骨顆の太さの分布範囲に一致する。即ち、高さ調整パッド１３の数を増減して枕１の高さを調整することによって、枕使用者が自分の腕枕の高さに枕１の高さを合わせることができる。
【００３８】
次に、本実施形態の枕１の使用方法について説明する。まず、図５に示すように、肩幅方向において枕１の中心に枕使用者の身体の中心を合わせる。そして、枕本体１１上部に後頭部が位置するように、カバー１０の上から仰向けに横になる。このとき、枕使用者は、特に首周辺において所望する接触感が得られるように、枕１の位置をずらすか、又は身体の位置を枕１に対してずらして、位置を調整する。
【００３９】
所望する接触感が得られたら、仰向けの状態から身体の向きを横向きに転換して寝心地を確認する。図５に示すように、枕使用者が枕１で仰向けの状態から横向きに寝返りをうったときに、第１のサポート部材１１ｆは枕使用者の首から顎までの範囲を支持し、第２のサポート部材１１ｇは枕使用者の側頭部を支持する。
【００４０】
本実施形態の枕１には、枕本体１１の内部に第１，第２及び第３のサポート部材１１ｆ，１１ｇ，１１ｈが設けられているが、これらのサポート部材１１ｆ，１１ｇ及び１１ｈは、枕本体１１よりも硬い。従って、横向きに寝返りをうった場合において、第２のサポート部材１１ｇが例えば耳に半分以上当たる場所に位置すると、枕使用者が横向きに寝た際に異物感を感じる場合があるため、耳の位置が第２のサポート部材の位置を外し、第２のサポート部材よりも第１のサポート部材寄りの位置になるようにして、頭を載せる。
【００４１】
このとき、枕に対する接触感が所望するものでない場合には、一体的に形成された第１及び第２のウレタン層１１ａ，１１ｂ並びに第１，第２及び第３のサポート部材１１ｆ，１１ｇ，１１ｈを枕袋１０から取り出す。そして、一体化されたこれらの部材を１８０度回転させた後、枕袋１０に戻し、枕１に対する身体の位置を再度調整して使用する。
【００４２】
このように第１のサポート部材１１ｆと第３のサポート部材１１ｈの位置を切り換えることによって、傾斜部１２が設けられた側の枕本体１１の側縁からの第２サポート部材１１ｇの距離を変更すれば、第２サポート部材１１ｇの位置から耳の位置を外すことができ、枕１に対する接触感も良好に維持することができる。
【００４３】
なお、本実施形態において、第１及び第２のウレタン層１１ａ，１１ｂの高さは同一に設定されているから、水平軸まわりに回転させた場合においても、垂直軸まわりに回転させた場合においても第２のサポート部材１１ｇの枕１における高さ方向の位置は同一である。第１及び第２のウレタン層１１ａ，１１ｂの高さが同一でなく、第２のサポート部材１１ｇの支持による接触感を維持したい場合は垂直軸まわりに１８０度回転させればよい。
【００４４】
枕１が所望する高さでない場合は、高さ調整パッド１３の数を増減することによって調整することができる。また、普段は枕１の高さがちょうどよく感じている場合においても、日々の体調等によって枕１の高さが高く感じたり低く感じることがある。この場合には、再度枕１の位置をずらすか、又は身体の位置を枕１に対してずらして調整する。
【００４５】
本実施形態の枕１においては、傾斜部１２の表面が突出方向に向けて低くなるように傾斜しているため、傾斜部１２の傾斜面上で肩の位置を調整することにより、肩に対する頭部の相対的な高さを調整することができる。これにより、第２のサポート部材１１ｇが耳に半分以上当たる場所に位置することになった場合は、再度、第１及び第２の樹脂層１１ａ，１１ｂ並びに第１及び第２のサポート部材１１ｆ，１１ｇを枕袋１０から取り出し、一体化されたこれらの部材を１８０度回転させて上下面を逆転させた後、枕袋１０に戻し、枕１に対する身体の位置を再度調整して使用する。それでも所望の枕の高さが得られない場合は、高さ調整パッド１３の数を再度調整して使用すればよい。
【００４６】
なお、本実施形態において、第１，第２及び第３のサポート部材１１ｆ，１１ｇ，１１ｈは、第１及び第２のウレタン層１１ａ，１１ｂ間の３箇所に埋設されているが、第１及び第３のサポート部材１１ｆ，１１ｇのうち、いずれか一方を枕本体１１内部の一方の側縁に固定すると共に、第２のサポート部材１１ｇの位置を第１及び第２のウレタン層１１ａ，１１ｂ間で調整できるように構成して、第２のサポート部材１１ｇの介装範囲を広げてもよい。
【００４７】
本実施形態の枕１には、枕本体１１の表面が平坦に設けられているため、枕使用者がこの平坦面上で容易に寝返りをうつことができる。
【００４８】
また、本実施形態の枕１には、枕本体１１の中央部分から突出方向に向けて低くなるように傾斜した傾斜部１２が設けられているため、枕使用者が仰向け時に傾斜部１２が枕使用者の首から背中までの範囲を圧迫することなく支持することができると共に、枕使用者が傾斜部１２上で位置をずらせば、肩に対する頭部の相対的な高さを容易に調整することができる。
【００４９】
そして、この傾斜部１２は、枕本体１１の中央部分から突出しているため、枕使用者が仰向けの状態から横向きに寝返りをうったときの肩を圧迫することがない。従って、異物感によって覚醒することが防止され、寝返り性が優れている。
【００５０】
更に、枕使用者に接触する枕１の全体に、柔らかい補助シート１１０が配置され、その上から枕１全体が繊維生地からなるカバー１０で覆われている。そして、補助シート１１０を構成する袋１１ｃと袋１１ｄとの間を縫製したミシン目の位置は、枕使用者が横向きに寝返りをうった際の耳の位置に相当する。従って、枕使用者が横向きの際に、枕使用者の耳は２つの袋間の窪み部分に位置し、耳への圧迫感が軽減される。
【００５１】
更にまた、補助シート１１０の下方には、補助シート１１０よりも若干硬い第１及び第２のウレタン層１１ａ，１１ｂが設けられ、第１及び第２のウレタン層１１ａ，１１ｂ間には、更に硬い第１，第２及び第３のサポート部材１１ｆ，１１ｇ，１１ｈが設けられている。従って、補助シート１１０の柔らかさによって接触感が維持され、補助シート１１０よりも硬い第１及び第２のウレタン層１１ａ，１１ｂによって衝撃吸収性が向上すると共に、更に硬い第１又は第３のサポート部材、及び第２のサポート部材によって枕使用者が安定的に支持されることができる。
【００５２】
更にまた、枕使用者が耳の位置を第２のサポート部材１１ｇの位置から外すように使用すれば、枕使用者が仰向けの状態においても、横向きに寝返りをうった状態においても、枕使用者は枕１に枕本体１１の平坦面で接触して、安定的に支持されることができると共に、枕使用者が横向きに寝返りをうった場合に耳が圧迫されることもないため、異物感によって覚醒することが防止される。
【００５３】
更にまた、本実施形態の第２のサポート部材１１ｇは、一体的に形成された第１及び第２のウレタン層１１ａ，１１ｂ並びに第１，第２及び第３のサポート部材１１ｆ，１１ｇ，１１ｈを枕袋１０から取り出して１８０度回転させることによって、傾斜部１２が設けられた側の枕本体１１の側縁からの距離を容易に変更することができる。従って、第２のサポート部材１１ｇが枕使用者の耳に当たる位置にある場合においても、これを容易にずらすことができる。
【００５４】
以上のように、本実施形態の枕１は、枕使用者の体型による使用条件の相違はなく、優れた寝返り性を誰でも得ることができる。
【符号の説明】
【００５５】
１：枕、１０：カバー、１１：枕本体、１１ａ：第１のウレタン層、１１ｂ：第２のウレタン層、１１ｃ〜１１ｅ：袋、１１ｆ：第１のサポート部材、１１ｇ：第２のサポート部材、１１ｈ：第３のサポート部材、１２：傾斜部、袋１３：高さ調整パッド
【図１】
2010246718.tif 000003
【図２】
2010246718.tif 000004
【図３】
2010246718.tif 000005
【図４】
2010246718.tif 000006
【図５】
2010246718.tif 000007